(57)【要約】弁アセンブリが、弁鎖錠デバイスと組み合わせて、提供される。弁アセンブリは、弁本体と、弁ハンドルと、対応する第１および第２の導管と接続された第１および第２のポートと、を含む。弁鎖錠デバイスは、弁に固着されたフレーム部材と、フレーム部材と組み立てられたシュラウド部材と、フレーム部材に固着された施錠機構と、を含む。フレーム部材およびシュラウド部材は、弁を封入する封入体を画定する。フレーム部材およびシュラウド部材のうちの少なくとも１つは、少なくとも部分的に、それを通して第１の導管を受容するように位置付けられた第１の開口部と、それを通して第２の導管を受容するように位置付けられた第２の開口部と、を画定する。施錠機構は、シュラウド部材が、フレーム部材に固着される、施錠状態と、シュラウド部材が、弁にアクセスするために、フレーム部材から除去可能である、解錠状態との間で操作可能である。
2013526685.tif 000002
【特許請求の範囲】
【請求項１】
アイテムへのアクセスを制限するための鎖錠デバイスであって、
フレーム部材と、
前記フレーム部材と組み立てられるように構成されるシュラウド部材であって、前記フレーム部材およびシュラウド部材は、前記アイテムを封入するように定寸される封入体を画定する、シュラウド部材と、
前記フレーム部材に固着された施錠機構であって、施錠部材は、前記シュラウド部材が、前記フレーム部材に固着される施錠状態と、前記シュラウド部材が、前記アイテムにアクセスするために、前記フレーム部材から除去可能である解錠状態との間で操作可能である、施錠機構と
を含み、
前記シュラウド部材は、前記シュラウド部材が、前記フレーム部材と組み立てられると、前記施錠機構の錠界面と整合される錠アクセス開口を含み、前記錠界面は、前記シュラウド部材の一部によって、前記錠アクセス開口から離間され、前記錠界面の改竄を抑制する、鎖錠デバイス。
【請求項２】
前記錠界面は、キーシリンダ錠を含む、請求項１に記載の鎖錠デバイス。
【請求項３】
前記シュラウド部材は、前記シュラウド部材と前記フレーム部材との摺動係合によって、前記フレーム部材と組み立てられる、請求項１に記載の鎖錠デバイス。
【請求項４】
前記フレーム部材は、それとの摺動係合のために、前記シュラウド部材のスロット付き軸受部分内に受容可能な側面フランジを含む、請求項１に記載の鎖錠デバイス。
【請求項５】
前記施錠機構は、前記施錠機構が、前記施錠状態にあるときに、前記シュラウド部材内の対応する陥凹内に延在する少なくとも１つの閂を含み、前記少なくとも１つの閂は、前記施錠機構が、前記解錠状態にあるときに、前記対応する陥凹から後退可能である、請求項１に記載の鎖錠デバイス。
【請求項６】
前記施錠機構は、引張バネ部材によって接続され、前記第１および第２の閂を後退位置に向かってバネ偏向させる入れ子式の第１および第２の閂を含み、前記施錠機構は、前記施錠機構が、前記施錠状態にあるときに、前記第１および第２の閂を延在位置に外側に付勢するように構成される施錠カムをさらに含む、請求項１に記載の鎖錠デバイス。
【請求項７】
前記フレーム部材の背面壁に固着される裏板をさらに含み、前記施錠機構の少なくとも一部は、前記背面壁と前記裏板との間に配置される、請求項１に記載の鎖錠デバイス。
【請求項８】
前記鎖錠デバイスは、第１の導管と接続された第１のポートおよび第２の導管と接続された第２のポートを有する弁へのアクセスを制限するように構成され、前記封入体は、前記弁を保定するように定寸され、前記フレーム部材およびシュラウド部材のうちの少なくとも１つは、少なくとも部分的に、それを通して前記第１の導管を受容するように位置付けられた第１の開口部を画定し、少なくとも部分的に、それを通して前記第２の導管を受容するように位置付けられた第２の開口部を画定する、請求項１に記載の鎖錠デバイス。
【請求項９】
前記フレーム部材と組み立てられ、少なくとも部分的に、前記第１の開口部を画定するように構成されるアダプタ板をさらに含み、前記アダプタ板は、弁鎖錠デバイスが、前記弁と組み立てられると、前記弁鎖錠デバイスと前記第１の導管との間に、減少された隙間を提供するように構成される、請求項８に記載の鎖錠デバイス。
【請求項１０】
前記フレーム部材は、少なくとも部分的に、前記第１の開口部を画定する上側壁と、少なくとも部分的に、前記第２の開口部を画定する下側壁とを含み、前記シュラウド部材は、前記錠アクセス開口を画定する正面壁と、前記フレーム部材に係合するように構成される第１および第２の側面壁とを含む、請求項８に記載の鎖錠デバイス。
【請求項１１】
前記キーシリンダ錠を操作するように構成される鍵と組み立てられる拡張ツールをさらに含み、前記拡張ツールは、前記錠アクセス開口内に挿入可能であり、前記キーシリンダ錠内への前記鍵の挿入のために、前記錠アクセス開口と前記キーシリンダ錠との間の前記封入体の部分に及ぶように定寸される、請求項１８に記載の鎖錠デバイス。
【請求項１２】
第１の導管と接続された第１のポートを有し、第２の導管と接続された第２のポートを有する弁とともに搭載するための弁鎖錠デバイスであって、
前記弁に固着されるように構成されるフレーム部材と、
前記フレーム部材と摺動係合状態で組み立てられるように構成されるシュラウド部材であって、前記フレーム部材およびシュラウド部材は、前記弁を封入するように定寸される封入体を画定し、前記フレーム部材およびシュラウド部材のうちの少なくとも１つは、それを通して前記第１の導管を受容するように位置付けられた第１の開口部と、それを通して前記第２の導管を受容するように位置付けられた第２の開口部とを画定する、シュラウド部材と、
前記フレーム部材および前記シュラウド部材のうちの一方に固着される施錠機構であって、施錠部材は、前記弁鎖錠デバイスが、前記弁上に設置されると、前記シュラウド部材が、前記フレーム部材に固着される施錠状態と、前記シュラウド部材が、前記弁にアクセスするために、前記フレーム部材から除去可能である解錠状態との間で操作可能である、施錠機構と
を含み、
前記施錠機構は、前記施錠機構が、前記施錠状態にあるときに、前記フレーム部材および前記シュラウド部材の他方の対応する陥凹内に延在する少なくとも１つの施錠部材を含み、前記少なくとも１つの施錠部材は、前記施錠機構が、前記解錠状態にあるときに、前記対応する陥凹から後退可能である、デバイス。
【請求項１３】
前記施錠機構は、引張バネ部材によって接続され、前記第１および第２の施錠部材を後退位置に向かって偏向させる第１および第２の施錠部材を含み、前記施錠機構は、前記施錠機構が、前記施錠状態にあるときに、前記第１および第２の施錠部材を延在位置に外側に付勢するように構成される施錠カムをさらに含む、請求項１２に記載の弁鎖錠デバイス。
【請求項１４】
前記フレーム部材は、少なくとも部分的に、前記第１の開口部を画定する上側壁と、少なくとも部分的に、前記第２の開口部を画定する下側壁とを含み、前記シュラウド部材は、前記錠アクセス開口を画定する正面壁と、前記フレーム部材に係合するように構成される第１および第２の側面壁とを含む、請求項１２に記載の弁鎖錠デバイス。
【請求項１５】
前記シュラウド部材は、前記正面壁から側方に延在し、部分的に、前記第１および第２の開口部の一方を画定する底面フランジを含む、請求項１４に記載の弁鎖錠デバイス。
【請求項１６】
前記シュラウド部材と前記フレーム部材との間の摺動係合は、前記第１の開口部に略垂直方向である、請求項１２に記載の弁鎖錠デバイス。
【請求項１７】
前記フレーム部材は、支柱を含み、前記支柱は、弁ハンドルの前記閉鎖位置からの移動を防止するように、前記弁鎖錠デバイスが、前記弁とともに搭載され、前記弁ハンドルが、閉鎖位置にあるときに、弁のハンドル内の開口を通して延在するように位置付けられる、請求項１２に記載の弁鎖錠デバイス。
【請求項１８】
組み合わせにおける弁アセンブリおよび弁鎖錠デバイスであって、前記弁アセンブリは、弁本体と、前記弁を操作するための弁ハンドルと、対応する第１および第２の導管と接続された第１および第２のポートとを含み、前記弁鎖錠デバイスは、
前記弁に固着されたフレーム部材と、
前記フレーム部材と組み立てられたシュラウド部材であって、前記フレーム部材およびシュラウド部材は、前記弁を封入する封入体を画定し、前記フレーム部材およびシュラウド部材のうちの少なくとも１つは、少なくとも部分的に、それを通して前記第１の導管を受容する第１の開口部と、それを通して前記第２の導管を受容する第２の開口部とを画定する、シュラウド部材と、
前記フレーム部材に固着された施錠機構であって、前記施錠機構は、前記シュラウド部材が、前記フレーム部材に固着される施錠状態と、前記シュラウド部材が、前記弁にアクセスするために、前記フレーム部材から除去可能である解錠状態との間で操作可能な施錠機構と
を含む、組み合わせ。
【請求項１９】
前記弁ハンドルは、開口を含み、前記フレーム部材は、前記弁ハンドルが、閉鎖位置にあるときに、前記開口を通して延在するように位置付けられ、それによって、前記弁ハンドルの前記閉鎖位置からの移動を防止する支柱を含む、請求項１８に記載の組み合わせ。
【請求項２０】
前記施錠機構は、キーシリンダ錠を含み、前記シュラウド部材は、前記キーシリンダ錠と整合され、前記封入体の一部によって、前記キーシリンダ錠から離間され、前記キーシリンダ錠の改竄を抑制する錠アクセス開口を含む、請求項１８に記載の組み合わせ。
【請求項２１】
前記弁鎖錠デバイスはさらに、前記フレーム部材と組み立てられ、少なくとも部分的に、前記第１の開口部を画定するように構成されるアダプタ板を含み、前記アダプタ板は、前記弁鎖錠デバイスと前記第１の導管との間に減少隙間を提供する、請求項１８に記載の組み合わせ。
【請求項２２】
前記フレーム部材は、それとの摺動係合のために、前記シュラウド部材のスロット付き軸受部分内に受容可能な側面フランジを含む、請求項１８に記載の組み合わせ。
【発明の詳細な説明】
【技術分野】
【０００１】
本願は、２０１０年５月１１日に出願され、「ＶＡＬＶＥ  ＬＯＣＫＯＵＴ  ＤＥＶＩＣＥ」と題された、米国仮特許出願第６１／３３３，４８８号に対する優先権および該米国仮特許出願のその他すべての利益を主張するものであり、該米国仮特許出願の内容は、参照により、本明細書中に援用される。
【背景技術】
【０００２】
多くのセキュリティデバイスが、例えば、スイッチ、ダイヤル、およびプッシュボタン等の電気構成要素、ならびに弁および圧力調整器等の流体システム構成要素を含む、機器および制御器具へのアクセスを制限するために提供される。一例示的セキュリティデバイスは、弁の操作を防止するように構成される、弁鎖錠デバイスである。弁鎖錠デバイスは、関連付けられた流体システムの保守の間、または弁の流動設定が、変更されてはならない、他の条件下、利用されてもよい。
【発明の概要】
【課題を解決するための手段】
【０００３】
本願の例示的実施形態によると、アイテムへのアクセスを制限するための鎖錠デバイスは、フレーム部材と、シュラウド部材と、施錠機構と、を含む。シュラウド部材は、フレーム部材およびシュラウド部材が、アイテムを封入するように定寸される、封入体を画定するように、フレーム部材と組み立てられるように構成される。施錠機構は、フレーム部材に固着され、シュラウド部材が、フレーム部材に固着される、施錠状態と、シュラウド部材が、アイテムにアクセスするために、フレーム部材から除去可能である、解錠状態との間で操作可能である。シュラウド部材は、シュラウド部材が、フレーム部材と組み立てられると、施錠機構の錠界面と整合される、錠アクセス開口を含む。錠界面は、封入体の一部によって、錠アクセス開口から離間され、錠界面の改竄を抑制する。
【０００４】
本願の別の例示的実施形態によると、弁鎖錠デバイスは、第１の導管と接続された第１のポートおよび第２の導管と接続された第２のポートを有する、弁を伴うアセンブリが提供される。デバイスは、弁に固着されるように構成される、フレーム部材と、フレーム部材と摺動係合状態で組み立てられるように構成される、シュラウド部材と、を含む。フレーム部材およびシュラウド部材は、弁を封入するように定寸される、封入体を画定する。フレーム部材およびシュラウド部材のうちの少なくとも１つは、少なくとも部分的に、それを通して第１の導管を受容するように位置付けられた第１の開口部と、それを通して第２の導管を受容するように位置付けられた第２の開口部と、を画定する。施錠機構は、フレーム部材およびシュラウド部材の一方に固着され、弁鎖錠デバイスが、弁上に設置されると、シュラウド部材が、フレーム部材に固着される、施錠状態と、シュラウド部材が、弁にアクセスするために、フレーム部材から除去可能である、解錠状態との間で操作可能である。施錠機構は、施錠機構が、施錠状態にあるとき、フレーム部材およびシュラウド部材の他方内の対応する陥凹内に延在する、少なくとも１つの施錠部材を含む。少なくとも１つの施錠部材は、施錠機構が、解錠状態にあるとき、対応する陥凹から後退可能である。
【０００５】
本願のさらに別の例示的実施形態によると、弁アセンブリが、弁鎖錠デバイスと組み合わせて提供される。弁アセンブリは、弁本体と、弁を操作するための弁ハンドルと、対応する第１および第２の導管と接続された第１および第２のポートと、を含む。弁鎖錠デバイスは、弁に固着されたフレーム部材と、フレーム部材と組み立てられたシュラウド部材と、フレーム部材に固着された施錠機構と、を含む。フレーム部材およびシュラウド部材は、弁を封入する封入体を画定する。フレーム部材およびシュラウド部材のうちの少なくとも１つは、少なくとも部分的に、それを通して第１の導管を受容するように位置付けられた第１の開口部と、それを通して第２の導管を受容するように位置付けられた第２の開口部と、画定する。施錠機構は、シュラウド部材が、フレーム部材に固着される、施錠状態と、シュラウド部材が、弁にアクセスするために、フレーム部材から除去可能である、解錠状態との間で操作可能である。
【図面の簡単な説明】
【０００６】
本発明のさらなる特徴および利点は、付随の図面を参照して、以下の発明を実施するための形態から明白となるであろう。
【図１】図１は、例示的ガス遮断弁アセンブリの正面図である。
【図２Ａ】図２Ａは、例示的弁鎖錠デバイスの上側正面斜視図である。
【図２Ｂ】図２Ｂは、図１の弁鎖錠デバイスの下側背面斜視図である。
【図３】図３は、シュラウド部材がフレーム部材から分解された状態で示される、図１の弁鎖錠デバイスの下側正面斜視図である。
【図４】図４は、図１の弁鎖錠デバイスの分解側面斜視図である。
【図５】図５は、デバイスの付加的特徴を例証するために、裏板およびラッチカバーが除去された状態で示される、図１の弁鎖錠デバイスの背面立面図である。
【図６】図６は、図１の弁鎖錠デバイスのシュラウド部材の下側斜視図である。
【図７】図７は、例示的ガス遮断弁と組み立てられた例示的弁鎖錠デバイスの斜視図である。
【図８】図８は、シュラウド部材が除去された状態で示される、図７の弁鎖錠デバイスの斜視図である。
【発明を実施するための形態】
【０００７】
本発明を実施するための形態は、単に、本発明の実施形態を説明するものであって、請求項の範囲をいかようにも限定する意図はない。実際、請求される本発明は、より広範であって、好ましい実施形態によって限定されず、請求項において使用される用語は、その完全なる通常の意味を有する。
【０００８】
また、明細書に説明され、図面に例証される、例示的実施形態は、ガスメータ弁のための鎖錠デバイスに関するが、本明細書に説明される発明特徴の多くは、例えば、他の弁のためのものや、他の機械および電気制御器具、導管、ならびに接続のための鎖錠デバイスを含む、他の鎖錠デバイスに適用されてもよく、また、他のアイテムへのアクセスを制限するため、例えば、金庫およびキーボックスを含む、他の施錠封入体内で使用されてもよいことを理解されたい。
【０００９】
いくつかの実施形態では、弁鎖錠デバイスは、弁のハンドルおよび／または本体上、それを覆って、および／またはその周囲に係止し（例えば、キーシリンダ等、挿入された南京錠または一体型施錠機構によって）、弁ハンドルの操作を阻止する、ブラケット、クランプ、またはカバーを含んでもよい。多くの弁鎖錠デバイスが、主に、弁の偶発的または望ましくない操作を防止するために設計されるが、例えば、工場または実験室環境では、他の用途は、弁の操作のために、設置された鎖錠デバイスを打破しようとする悪意のあるまたは不正な試みに対して、弁の安全な鎖錠を必要とする。そのような実施例の１つは、ガスサービスが、ガス公共料金の請求額の未払いのため、中止されている、住居および商業場所で使用される、天然ガス弁の鎖錠を伴う。これらの鎖錠配列を妨害する試みにおいて、個人は、違法使用のために、ガス供給を流用するために、弁または鎖錠デバイスを攻撃することによって、例えば、ハンドルおよび／または鎖錠デバイスを切断することによって、施錠機構をピッキングする、または別様に打破することによって、さらには、弁座上流の弁本体（多くの場合、真鍮で構築される）に穿孔することによって、ガス遮断または絞り弁を違法に開放または操作し得る。
【００１０】
本願は、例えば、アイテムの操作、改竄、または盗難を防止するために、アクセスが制限または保護されるべきアイテムの周囲に固着され得る、係止可能シュラウドを含む、鎖錠デバイスを想定する。一実施形態では、鎖錠デバイスは、弁の周囲に固着されるように適応され、それによって、弁の不正操作または改竄を防止するために、弁ハンドルおよび弁本体の一方または両方へのアクセスを阻止する。ある例示的実施形態では、鎖錠デバイスは、弁と組み立てられる、またはそれに固着される、ブラケットあるいはフレーム部材と、フレーム部材に係止可能に係合し、弁を部分的または完全に封入することによって、弁へのアクセスを阻止する、シュラウド部材と、を含む。シュラウド部材をフレーム部材に固着する施錠機構は、キーシリンダ、組み合わせダイヤル、電子界面（例えば、キーパッド、生体認証センサ等）、または他のそのような配列等、ユーザ操作可能錠界面を含んでもよい。錠界面の適切な操作に応じて、シュラウド部材は、弁へのアクセスおよびその操作のために、フレーム部材から除去可能である。
【００１１】
例示的用途では、ガスメータ弁１は、導管２によって、建物（例えば、住居、商業、または産業用建物）の外側において、圧力調整器３およびガスメータ５と組み立てられる。圧力調整器およびガスメータ５は、ガス公共事業によって建物に供給されるガスの量を較正および測定するために使用される。建物へのガスの供給の終了が、所望される場合（例えば、ガスの漏出が検出される場合、またはガス公共料金の請求額が支払われていない場合）、メータ弁ハンドル１ａが操作され、源導管７からのガスの供給を遮断してもよい。しかしながら、建物の所有者または居住者によるガス弁への容易なアクセスは、ガス弁を操作または改竄し、建物へのガスの供給を不適切に回復するのを防止し得る。
【００１２】
図２Ａ-８は、フレーム部材２０およびシュラウド部材３０を含む、例示的弁鎖錠デバイス１０の種々の図を例証する。例示的フレーム部材２０は、フレーム部材２０が、設置された弁と組み立てられ得るように、それを通して１つ以上の弁導管Ｃ１、Ｃ２（図７および８に示されるように）を受容するように定寸された１つ以上のカットアウト部分２２、２４を画定する、上面および底面壁部分２１、２３を含む。いくつかの実施形態では（例証される実施形態を含む）、鎖錠デバイス１０は、弁導管Ｃ１、Ｃ２を収容する任意の配向に組み立てられてもよく、したがって、上面壁部分２１は、側面または任意の他の好適な位置に対して、上方、下方（図７および８に示されるように）に面してもよい。例示的シュラウド部材３０は、正面壁３５および対向側面壁３１、３３を含む。組み立てられると、フレーム部材２０およびシュラウド部材３０は、鎖錠されるべき弁Ｖ（図８）を受容するように定寸された封入体を画定する。他の実施形態では（図示せず）、シュラウド部材は、側面壁の一方または両方の全部あるいは一部に加え、または代わりに、上面および底面壁の一方または両方の全部あるいは一部を含んでもよい、および／またはフレーム部材は、上面および底面壁の一方または両方の全部あるいは一部に加え、または代わりに、側面壁の一方または両方の全部あるいは一部を含んでもよい。
【００１３】
ガセット２９または他のそのような補強部材は、上面および底面壁部分２１、２３に固着される、またはそれと一体型であって、例えば、増加された剛性を提供する、および／または挿入されたツールによるアクセスを妨害してもよい。フレーム部材およびシュラウド部材は、多くの異なる配列において、アセンブリのために構成されてもよいが、例証される実施形態では、フレーム部材２０は、フレーム部材とシュラウド部材との間の摺動係合のために、シュラウド部材３０の側面壁３１、３３に沿って、スロット付き軸受部分または溝３６に嵌合する、側面フランジ２６（図３および４）を有する、上面および底面壁部分２１、２３が延在する、背面壁２５を含む。例証される実施形態のフランジ２６およびスロット付き軸受部分３６は、シュラウド部材３０の垂直摺動移動のために、垂直に延在するが、他の実施形態は、シュラウド部材の水平摺動移動のための水平フランジおよびスロット付き軸受部分（または、他の摺動係合）、あるいはシュラウドの軸方向摺動移動のための水平軸方向（すなわち、側面壁に平行）フランジおよびスロット付き軸受部分（または、他の摺動係合）を利用してもよい。
【００１４】
フレーム部材２０およびシュラウド部材３０は、封入体内に弁を固着するように構成される、１つ以上の特徴が提供されてもよい。例えば、図３および４に示されるように、支柱２７は、弁本体またはハンドル内の対応する開口を通しての挿入のために、フレーム部材２０の背面壁２５に添着されてもよい。一実施例では、図８に示されるように、従来のガス弁Ｖは、遮断位置（図示せず）に整合し、南京錠シャックルを受容し、ハンドルＨを遮断位置に係止する、係止開口Ａ１、Ａ２とともに、ハンドルＨおよびブラケットＢを含む。鎖錠デバイス１０をそのような弁Ｖに組み立てると、支柱２７は、これらの錠開口Ａ１、Ａ２の一方または両方を通して挿入され、弁Ｖを封入体内の定位置に固着し、さらに、弁ハンドルＨの操作を妨害してもよい。別の実施例として、背面壁２５は、弁本体を収容するように定寸された開口部２８（図３および５）または陥凹部分が提供され、さらに、弁に対して、設置されたデバイス１０の移動を妨害してもよい。
【００１５】
フレーム部材２０およびシュラウド部材３０はまた、例えば、鎖錠封入体を画定する壁を補強することによって、フレームおよびシュラウド部材のこじ開け、あるいは他のそのような「総当たり」攻撃または鎖錠デバイス１０の改竄に対抗するように構成されてもよい。一実施例として、シュラウド部材３０は、フレーム部材２０の上面および底面壁２１、２３の一方または両方に隣接する正面壁から側方に延在する、１つ以上のフランジ５２が提供されてもよい。別の実施例として、フレーム部材２０は、上面および底面壁２１、２３の一方または両方に固着され、側面壁３１、３３を補強する、側面壁支持５３が提供されてもよい。示されるように、側面壁支持５３は、屈曲フランジとして提供され、カットアウト部分２２の側面と整合され、導管開口部の側面を補強する、一体型ガセット２９を含んでもよい。
【００１６】
フレーム部材カットアウト部分２２、２４およびシュラウド部材３０の正面壁３５は、それを通して弁導管Ｃ１、Ｃ２を受容するために、第１および第２の開口部をともに画定してもよい。他の実施形態では、開口部はさらに、弁アセンブリ上の鎖錠デバイスの移動を限定するように画定または制限される。一実施例として、シュラウド部材フランジまたはフランジ５２は、第１および第２の開口部の一方または両方を部分的に画定し、そのサイズを縮小してもよい。別の実施例として、１つ以上のアダプタ板５５（図４参照）は、アダプタ板と上面または底面壁部分２１、２３との間の弁導管Ｃ１、Ｃ２をさらに制限するように提供されてもよい。アダプタ板５５は、弁導管をより緊密に受容するように成形される、カットアウト５６を含んでもよいが、そうである必要はない。アダプタ板５５は、種々の好適な配列において、フレーム部材２０および／またはシュラウド部材３０に固着されてもよいが、例証される実施形態では、アダプタ板５５は、フレーム部材２０の側面壁支持５３から延在する、屈曲タブ５７（図３および４）によって画定される、棚部分上のフレーム部材２０内に受容される。弁鎖錠デバイス１０は、異なるサイズの導管Ｃ１、Ｃ２を収容するために、異なるサイズのカットアウトを有する、複数のアダプタ板５５が提供されてもよい。
【００１７】
多くの異なる施錠機構は、シュラウド部材を弁の係止された封入体のためのフレーム部材に固着するために利用されてもよい。一実施形態では、フレーム部材と組み立てられた１つ以上の閂または他のそのような施錠部材は、フレーム部材上のシュラウド部材の係止された保定のために、シュラウド部材と相互係止するように移動可能である。例証される実施形態では、施錠機構は、シュラウド部材３０のスロット付き軸受部分３６内の対応する切り欠き３２、３４（図６）を通して延在し、摺動移動に対して、シュラウド部材を固着する、第１および第２の閂４１、４３を含む。閂４１、４３は、裏板５０を背面壁に取着するように溶接またはリベット留めされ得る、スタンドオフピン５１によって、フレーム部材２０の背面壁２５と、背面壁２５に固着された裏板５０との間に配置される。図４に示されるように、閂４１、４３は、背面壁２５に固着される、ラッチカバー４４内に保定されてもよい（例えば、背面壁内のスロットを通して、圧着または別様に固着される、タブ４５によって）。裏板５０は、背面壁開口部２８と整合し、鎖錠された弁のための付加的隙間を提供する、隆起した突起５８が提供されてもよい。
【００１８】
例証される実施形態では、施錠機構は、入れ子式の閂配列を利用して、第２の閂４３は、第１の閂４１を受容するように定寸されたカットアウト４２を含む（図４および５参照）。そのような配列では、第２の閂４３は、第１の閂４１のものより大きな切り欠き係合部分を含んでもよく、対応するシュラウド切り欠き３４、３２は、適宜、定寸されてもよい。施錠機構はさらに、第１と第２の閂４１、４３との間に延在する、施錠カム４６を含む。施錠カム４６は、施錠カム４６の長方形突起４６ａが、第１および第２の閂４１、４３をシュラウド切り欠き３２、３４と係止係合するよう外側に付勢する、施錠位置と、施錠カム４６が、第１および第２の閂４１、４３を内方に移動させ、切り欠き３２、３４との係合から外す、解錠位置との間で回転可能である。閂４１、４３は、施錠カム４６の回転に応じて、フレーム部材２０からのシュラウド部材３０の自動係脱のために、内方にバネ偏向されてもよい。例証される実施形態では、引張バネ部材４７は、第１および第２の閂の内方偏向のために、第１の閂４１および第２の閂４３に接続される（横木４８において）。
【００１９】
デバイス１０はさらに、錠界面の適切な操作に応じて、施錠位置から解錠位置への施錠カム４６の回転のための錠界面を含む。例証される実施形態では、錠界面は、シュラウド３０の正面壁３５内の整合された開口部または錠アクセス開口３９を通して、シリンダプラグ４９ａ内への認定された鍵の挿入によって、施錠と解錠位置との間で施錠カム４６の回転を可能にするように、施錠カム４６に回転固定されたシリンダプラグ４９ａ（例えば、プラグから延在する、タングまたは他の突起によって）を有する、キーシリンダ４９（当技術分野において周知のような）を含む。キーシリンダ４９は、シュラウド開口部３９に近接して位置付けられてもよいが、例証される実施形態では、キーシリンダシェル４９ｂは、鍵穴が、シュラウド開口部３９から陥凹される、または封入体の一部によってシュラウド開口部から離間されるように、フレーム部材２０の背面壁２５に添着される。結果として生じたシュラウド開口部３９とキーシリンダ４９との間のオフセットは、ピッキング、キーシリンダ錠への衝突、または他のそのような攻撃を妨害する役割を果たし得る。任意の好適なオフセットが、提供されてもよいが、一実施形態では、少なくとも２インチ（例えば、２．５インチ）のオフセット距離が、アクセス開口３９とキーシリンダ４９との間に提供される。故に、鎖錠デバイス１０との併用するための認定された鍵は、シュラウド開口部３９を通して挿入されると、オフセットキーシリンダ４９に到達するために、延在された鍵平坦部が提供されてもよい。別の実施形態では、拡張ツール６０は、図４に示されるように、標準的鍵に取着するために提供されてもよく、拡張ツール６０は、シュラウド開口部３９とキーシリンダ４９との間のオフセット空間に及ぶように定寸される。
【００２０】
弁鎖錠デバイスは、任意の好適な材料で提供されてもよいが、一実施形態では、鎖錠デバイスの構成要素は、例えば、５３／５８ＨＲＣまで硬化された一般的鋼炭窒化物ケースを含む、攻撃および腐食に耐える高強度金属を含む。
【００２１】
本発明の種々の発明側面、概念、および特徴が、例示的実施形態と組み合わせて具現化されるように、本明細書に説明および例証され得るが、これらの種々の側面、概念、および特徴は、個々に、またはそれらの種々の組み合わせおよび部分的組み合わせのいずれかにおいて、多くの代替実施形態で使用されてもよい。本明細書において、明示的に除外されない限り、すべてのそのような組み合わせおよび部分的組み合わせは、本発明の範囲内と意図される。さらに、本発明の種々の側面、概念、および特徴に関する種々の代替実施形態（代替材料、構造、構成、方法、デバイス、および構成要素、形態、適合度、および機能に関する代替等）が、本明細書に説明され得るが、そのような説明は、現在既知または後に開発される、利用可能な代替実施形態の完全または排他的リストであると意図されない。当業者は、そのような実施形態が、本明細書に明示的に開示されない場合でも、本発明の範囲内において、発明の側面、概念、または特徴のうちの１つ以上を付加的実施形態および使用に容易に採択してもよい。加えて、本発明のいくつかの特徴、概念、または側面が、好ましい配列または方法であるように本明細書に説明され得るが、そのような説明は、そのように明示的に述べられない限り、そのような特徴が要求される、または必要であることを示唆することを意図しない。さらに、例示的または代表的値および範囲が、本開示の理解を補助するために含まれ得る。しかしながら、そのような値および範囲は、限定的意味で解釈されず、そのように明示的に述べられる場合のみ、臨界値または範囲であると意図される。さらに、種々の側面、特徴、および概念が、発明または発明の一部を形成するものとして本明細書に明示的に識別され得るが、そのような識別は、排他的であることを意図するものではなく、むしろ、そのようなものとして、または具体的発明の一部として、明示的に識別されることなく、本明細書に完全に説明される、発明の側面、概念、および特徴が存在し得る。例示的方法またはプロセスの説明は、あらゆる場合に要求されるものとして、すべてのステップの含有に限定されず、そのように明示的に述べられない限り、ステップが、要求される、または必要であると解釈されるように提示される、順序でもない。
【図１】
2013526685.tif 000003
【図２Ａ】
2013526685.tif 000004
【図２Ｂ】
2013526685.tif 000005
【図３】
2013526685.tif 000006
【図４】
2013526685.tif 000007
【図５】
2013526685.tif 000008
【図６】
2013526685.tif 000009
【図７】
2013526685.tif 000010
【図８】
2013526685.tif 000011
【国際調査報告】
2013526685.tif 000012